(57)【要約】      （修正有）【課題】薬剤を噴霧する吸入器に関する、携帯に便利な薬ガスタンクを提供する。【解決手段】本体１、薬ガスバルーン３及び押圧部４から構成され、該本体１の収容室１０上面には、穿刺部１１が設けられ、該本体の下部には外壁面に上部リング溝１２０と下部リング溝１２１が設けられた取り付け部１２が設けられ、該本体の上部には、通孔１４を備えたノズル１３が設けられ、該本体の外壁面には、相対して突出する保持部１７が設けられ、薬ガスバルーン３は、圧縮された薬ガス組成物を収容して該本体の収容室内に挿入収容されると共に内部に穿刺部１１に相対する穿刺針３０が設けられ、押圧部４は、内部の収容凹部４０内周に本体の上部リング溝に嵌合する保持フランジ４１により該本体の下方に取り付けられて、押圧部の押圧操作により内部の薬ガスバルーン３を圧縮して薬剤をノズルより噴霧する。【選択図】図３
0003226647.tif 000002
【実用新案登録請求の範囲】
【請求項１】
本体と、薬ガスバルーンと、押圧部と、を含み、
該本体内に収容室が設けられ、該収容室内に穿刺部が設けられ、該本体の下部には、取り付け部が設けられ、該取り付け部の外壁面には、上部リング溝及び下部リング溝が設けられ、該本体の上部には、ノズルが設けられて該ノズル内には通孔が設けられ、該通孔内には調節弁が設けられ、該ノズルの外壁面には、調整つまみが設けられて該調整つまみは該調節弁を連動し、該本体の外壁面には、相対して突出する保持部が設けられ、
上記薬ガスバルーンは、本体の収容室内に挿入、収容され、該薬ガスバルーンの壁面を圧縮可能な蛇腹型に形成して圧縮された薬ガス組成物を収容し、内部には上記本体の穿刺部に相対して穿刺針が設けられ、
上記押圧部は、上記本体の下方に取り付けられて、収容凹部が設けられ、該収容凹部の内周壁には上記本体の上部リング溝及び下部リング溝に嵌合する保持フランジが設けられると共に該押圧部の壁面には複数のスリットが設けられ、
押圧部の押圧操作により保持フランジが上部リング溝から下部リング溝に押し込み移動可能とした、薬ガスタンク。
【考案の詳細な説明】
【技術分野】
【０００１】
本考案は、鼻腔や口腔に薬剤を噴霧する吸入器に関し、特に、携帯、使用に便利な薬ガスタンクに関する。
【背景技術】
【０００２】
一般的な風邪、鼻詰まり、鼻炎、鼻の不快または喉の炎症、喉の痛みがある時、医師は、通常、患者の不快感を軽減するためにスプレーガンで患者の鼻腔または口に薬を噴霧する。従って、鼻腔または口腔が感染した場合、病変の広がりを防ぐために鼻腔または口腔を効果的に治療することが非常に重要であり、医師が薬を噴霧する場合、加圧器及びスプレーガンの補助を要して初めて薬剤を患者の鼻腔又は口腔に噴霧することができるが、該薬剤の噴霧設備は、体積が大きく、備品が多く、医師が遠隔地に患者の診察に行く場合、それら薬噴霧装置は携帯、使用に不便である。
【先行技術文献】
【特許文献】
【０００３】
【特許文献１】特表２０１９−５１５６８４号公報
【特許文献２】特開２０１３−１５４２３７号公報
【考案の概要】
【考案が解決しようとする課題】
【０００４】
本考案の目的は、従来の鼻腔または口腔スプレー薬剤の吸入器の使用時に存在する欠陥を有効に解決することができる携帯、使用に便利な薬ガスタンクを提供することである。
【課題を解決するための手段】
【０００５】
本考案の薬ガスタンクは、本体と、薬ガスバルーンと、押圧部と、を含み、該本体内に収容室が設けられ、該収容室内に穿刺部が設けられ、該本体の下部には、取り付け部が設けられ、該取り付け部の外壁面には、上部リング溝及び下部リング溝が設けられ、該本体の上部には、ノズルが設けられ、該ノズル内には通孔が設けられ、該本体の外壁面には、相対して保持部が凸設され、該薬ガスバルーンは、該本体の収容室内に挿入され、該薬ガスバルーンの壁面は伸縮可能な蛇腹型に設けられて圧縮可能な状態を呈し、該薬ガスバルーン内には、圧縮された薬ガス組成物が収容され、該薬ガスバルーン内には穿刺針が設けられ、該押圧部は、該本体の下方に取り付けられ、該押圧部は、収容凹部が設けられ、該収容凹部の内壁には、保持フランジが設けられ、該押圧部の壁面には、複数のスリットが設けられる。
【０００６】
本考案の薬ガスタンクにおいて、該本体のノズルの通孔内には、調節弁が設けられ、該ノズルの外壁面には、調整つまみが設けられており、該調整つまみは、該調節弁を連動する。
【０００７】
本考案の薬ガスタンクにおいて、該本体のノズル上には、蓋体が被せ設けられる。
【考案の効果】
【０００８】
本考案の薬ガスタンクの利点は、全体の体積が小さく、異なる症例に対する薬ガス組成物を治療する薬ガスバルーンに組み合わせて使用でき、且つ携帯、使用の何れにも極めて便利である。
【図面の簡単な説明】
【０００９】
【図１】本考案の実施例の立体分解図である。
【図２】本考案の実施例の立体組み合わせ図である。
【図３】本考案の実施例の組み合わせ断面図である。
【図４】本考案の実施例の蓋体を取り外した説明図である。
【図５】本考案の実施例の押圧部を押圧して薬剤を噴出する断面説明図である。
【図６】本考案の実施例の使用説明図である。
【考案を実施するための形態】
【００１０】
上述の使用目的および効果を達成するために採用する技術的手段に関して、好ましい実施可能な実施例を挙げ、図面を合わせて、以下に説明する。
【００１１】
本考案の実施例は、図１〜図３に示すように、本体１、蓋体２、薬ガスバルーン３及び押圧部４が設けられ、該本体１内には、収容室１０が設けられ、該収容室１０内には穿刺部１１が設けられ、該本体１の下部には、取り付け部１２が設けられ、該取り付け部１２の外壁面には、上部リング溝１２０及び下部リング溝１２１が設けられ、該本体１の上部には、ノズル１３が設けられ、該ノズル１３内には、通孔１４が設けられ、該ノズル１３の該通孔１４内には、調整弁１５が設けられ、該ノズル１３の外壁面には、調整つまみ１６が設けられ、該調整つまみ１６は、該調節弁１５を連動し、該本体１の外壁面には、保持部１７が相対して凸設され、蓋体２は、該本体１のノズル１３に設けられ、薬ガスバルーン３は、該本体１の収容室内に挿入され、該薬ガスバルーン３の壁面は、圧縮可能な蛇腹型に設けられて圧縮可能な状態を呈し、該薬ガスバルーン３内には、圧縮された薬ガス組成物Ａが収容され、該薬ガスバルーン３内には、穿刺針３０が設けられ、押圧部４は、該本体１の下方に取り付けられ、該押圧部４には、収容凹部４０が設けられ、該収容凹部４０の内壁面には、保持フランジ４１が設けられ、該押圧部４の壁面には、複数のスリット４２が設けられ、このように、薬ガスタンク構造となっている。
【００１２】
本考案の組み立て時、図１〜図３を参照し、薬ガスバルーン３を本体１の収容室１０に入れ、それから、押圧部４を本体１の取り付け部１２に取り付け、押圧座４内の保持フランジ４１を取り付け部１２の下部リング溝１７１内に嵌合し、蓋体２を本体１のノズル１３に被せて設け、このようにして、組み立てを完成することができる。
【００１３】
本考案の使用時、図３〜図６に示すように、蓋体２を本体１のノズル１３から取り外し（図４参照）、使用者の鼻腔または口腔に噴霧されるべき流量に応じて、調整つまみ１６を回転してノズル１３内の調節弁１５の開放の度合いを調節して薬剤が噴出される流量を制御し、人差し指と中指で本体の保持部１７を保持し、親指で押圧部４の底部を押圧し、本体１のノズル１３を使用者の鼻腔（図６参照）又は口腔内に挿入し、押圧部４を本体１に向けて押圧して押圧部４内の保持フランジ４１を本体１の下部リング溝１２１から上部リング溝１２０に向けて押し込んで移動させる（図５参照）。
本体１の収容室１０及び押圧部４の収容凹部４０内の設けられた薬ガスバルーン３は、押圧部４によって押圧されて圧縮状態を呈し、薬ガスバルーン３内の穿刺針３０の針の先端は、本体１の穿刺部１１より穿刺、挿入されて本体１のノズル１３内に位置し、薬ガスバルーン３内の圧縮された薬ガス組成物Ａは、穿刺針３０の通孔１３及び本体１のノズル１３から噴出して使用者の鼻腔又は口腔内に入る。
このように、薬剤を鼻腔又は口腔内に噴出する操作を行い、該薬ガスバルーン３内の薬ガス組成物Ａは、異なる症例に対応して治療する薬物である。
本考案の薬ガスタンクの全体の体積は、小さく、異なる症例の治療に合わせて必要な薬ガス組成物Ａの薬ガスバルーン３を本体１の収容室１０内に入れて使用することができ、携帯、使用の何れにも極めて便利である。
【００１４】
上記のように、本考案は、確実に所期の使用目的及び効果を達成するものであり、且つ従来技術に比較して更に理想的、実用的であるが、上記実施例は、本考案の好適実施例に対して具体的説明を行っているのみであり、該実施例は、本考案の保護範囲を限定するためのものではなく、本考案の開示する技術手段から逸脱しない他の全ての均等の変更および修飾は、何れも本考案によってカバーされる保護範囲に含まれるべきである。
【符号の説明】
【００１５】
１  本体
１０  収容室
１１  穿刺部
１２  取り付け部
１２０  上部リング溝
１２１  下部リング溝
１３  ノズル
１４  通孔
１５  調節弁
１６  調整つまみ
１７  保持部
２  蓋体
３  薬ガスバルーン
３０  穿刺針
４  押圧部
４０  収容凹部
４１  保持フランジ
４２  スリット
Ａ  薬ガス組成物
【図１】
0003226647.tif 000003
【図２】
0003226647.tif 000004
【図３】
0003226647.tif 000005
【図４】
0003226647.tif 000006
【図５】
0003226647.tif 000007
【図６】
0003226647.tif 000008